(57)【要約】【課題】従来のバランスボードのように専用の支持部品を用意する必要がなく、しかも、バランス運動の難易度の設定を手軽に行うことのできるボールを用いたバランス運動具を提供すること。【解決手段】弾力性を有するボール１と、このボール１の外径以下の口径の開口部を有しており、この開口部において、ボール１との摩擦力および負圧吸引力を利用してボール１を着脱自在に保持する椀状部材２と、この椀状部材２に設けられた台座部材３とからバランス運動具１０を構成した。【選択図】  図１
0003118491.tif 000002
【実用新案登録請求の範囲】
【請求項１】
弾力性を有するボールと、
該ボールの外径以下の口径の開口部を有し、該開口部で該ボールを着脱自在に保持する椀状部材と、
該椀状部材に設けられた台座部材と、
から成るボールを用いたバランス運動具。
【請求項２】
前記台座部材に二つの前記椀状部材が並列状態に設けられており、各椀状部材に前記ボールが保持されている請求項１記載のバランス運動具。
【請求項３】
前記台座部材を二つの前記椀状部材間において揺動可能に支持する支持部材を備えた請求項２記載のバランス運動具。
【請求項４】
前記台座部材に支柱を備えた請求項１ないし請求項３のいずれかに記載のボールを用いたバランス運動具。
【請求項５】
前記台座部材が円板体であり、該台座部材が前記椀状部材の中心軸線と同心状態に設けられ、前記支柱が該台座部材の偏心位置に設けられている請求項４記載のボールを用いたバランス運動具。
【考案の詳細な説明】
【技術分野】
【０００１】
本考案は、平衡感覚を養い得るバランス運動具に関するものである。
【背景技術】
【０００２】
従来、床面等に揺動可能に置いたボード上に人が乗り、其処でバランスをとって平衡感覚を養い、或いはリハビリテーション等に利用するバランス運動具が多数、提案されている。そして、ボード下面の揺動支持部を取り替え式に構成し、バランス運動の難易度を適宜に設定し得るものが提案されている（例えば、下記の特許文献１参照）。
【０００３】
しかしながら、このバランス運動具は、専用の支持部品を用意しなければならず、難易度をより細かく設定しようとする程、数多くの専用の支持部品を準備する必要があった。また、このバランス運動具は、この支持部品をボードに安全確実に固定するために支持部品とボードとがネジ止めされていたため、支持部品の取り替え作業に手間がかかる難点があった。
【特許文献１】特開平１０−２９０８４５号公報
【考案の開示】
【考案が解決しようとする課題】
【０００４】
本考案は、従来のバランス運動具に上記のような難点があったことに鑑みて為されたもので、専用の支持部品を用意する必要がなく、しかも、バランス運動の難易度の設定を手軽に行い得るボールを用いたバランス運動具を提供することを目的とする。
【０００５】
また、本考案の他の課題は、空気入りボールの弾性力、緩衝性を利用することによってバランス運動とともに、跳躍運動をも行うことができるボールを用いたバランス運動具を提供することにある。
【課題を解決するための手段】
【０００６】
本考案は、弾力性を有するボールと、該ボールの外径以下の口径の開口部を有し、該開口部で該ボールを着脱自在に保持する椀状部材と、該椀状部材に設けられた台座部材と、から成ることを特徴としている。
【０００７】
また、本考案は、前記台座部材に二つの前記椀状部材が並列状態に設けられており、各椀状部材に前記ボールが保持されていることを特徴とする。
【０００８】
更にまた、本考案は、前記台座部材を二つの前記椀状部材間において揺動可能に支持する支持部材を備えたことを特徴とする。
【０００９】
更にまた、本考案は、前記台座部材に支柱を備えたことを特徴とする。
【００１０】
更にまた、本考案は、前記台座部材が円板体であり、該台座部材が前記椀状部材の中心軸線と同心状態に設けられ、前記支柱が該台座部材の偏心位置に設けられていることを特徴とする。
【考案の効果】
【００１１】
本考案に係るバランス運動具によれば、椀状部材の開口部にボールを着脱自在に保持することができ、このボールを揺動支持部としてバランス運動を行うことができるので、従来品のように取り替え式の専用の支持部品を準備しておく必要がなく、一般の空気入りボールを用いて手軽にバランス運動を行うことができる。
【００１２】
そして、ボールの種類等を変更することによって、バランス運動の難易度を適宜に変更することができ、また、ボールの空気圧を調節することによっても、バランス運動の難易度を無段階で調節設定することができる。
【００１３】
また、ボールを椀状部材の摩擦力と吸引力との相乗効果を利用して開口部に確実に固定することができるので、バランス運動中、ボールが外れてしまうおそれもなく安全に運動を行うことができる。また、意図的に椀状部材の近傍においてボールの表面を部分的に凹ませれば、簡単にボールを取り外すことができるので、ボールの取り替え作業も手軽に行うことができる。
【００１４】
更にまた、バランス運動中、使用者の体重によってボールの接地部が床面に沿って変形するので、ボールと床面との摩擦力によってバランス運動中にボールが床面に対し滑ってしまい体勢を崩す危険もない。また、ボールと床面とが面接触するので、床面に多少の凹凸があっても安全にバランス運動を行うことができ、屋内外を問わず、どこでもバランス運動を行うことができる。更にまた、ボールが弾力性を有し、ボールと床面が面接触するので、本考案の運動具によって床面等を傷つけるおそれもない。
【００１５】
更にまた、本考案に係るバランス運動具によれば、ボールの弾力性、緩衝性を利用することによって、バランス運動だけでなく、跳躍運動をも行うことができる。ボールの弾性反発力を利用して簡単に跳びはねることができ、また、接地時の衝撃をボールが吸収するので、緩衝性に優れ、スムーズな跳躍運動を楽しむことができる。
【考案を実施するための最良の形態】
【００１６】
以下、本実施形態のボールを用いたバランス運動具について、図１及び図２を参照しながら説明する。
【００１７】
本実施形態のバランス運動具１０は、図１に示すように、弾力性を有するボール１と、ボール１を着脱自在に保持する椀状部材２と、椀状部材２に設けられた台座部材３と、から構成されている。
【００１８】
ボール１は、表面を押圧すれば凹み、その押圧を解除すれば元の状態に回復する弾力性を有する球状体である。本実施形態では、ボール１としてドッジボールを使用している。このほか、ボール１として、例えば、空気入りゴムボール、バスケットボールなど、次述する椀状部材２の開口部２１に応じたサイズのボールを用いることができる。
【００１９】
椀状部材２は、図２に示すように、下部に円形の開口部２１を有する金属材から成る椀状体である。椀状部材２は、開口部２１の口径Ｒ２が上記ボール１の外径Ｒ１よりも小さい略半球殻形状に形成されている。そして、椀状部材２の開口部２１をボール１の表面に接触させたとき、椀状部材２の内面とボール１の表面との間に僅かな密閉空間Ｓが形成される。本実施形態の椀状部材２は、円形の開口部２１の形態安定性を向上させるために開口部２１の外側に折返部２２が形成されており。また、椀状部材２の上部には台座部材３と面接触させるための平面部２３が形成されている。
【００２０】
椀状部材２は、その開口部２１においてボール１を着脱自在に保持し得る。即ち、椀状部材２の開口部２１をボール１の表面に接触させた状態で、椀状部材２をボール１に対し多少強めに押し付ければ、図２に示すように、ボール１の表面が弾性変形してボール１が椀状部材２内へ食い込む。このとき、開口部２１の開口縁部とボール１の表面との間に、ボール１の弾性反発力に基づく摩擦力が働き、この摩擦力を利用してボール１を保持することができる。しかも、ボール１が椀状部材２内へ食い込む際、密閉空間Ｓ内の空気が抜け、その結果、密閉空間Ｓが負圧状態となるので、この負圧による吸引力によってもボール１を保持することができる。このように椀状部材２の摩擦力と吸引力との相乗効果によってボール１を椀状部材２の開口部２１において確実に保持することができるのである。なお、予めボール１の空気を適度に抜いた状態で、ボール１を椀状部材２の開口部２１に押し込み、その後、ボール１に再び空気を注入すれば、より確実にボール１を保持することができる。
【００２１】
ボール１を椀状部材２から取り外す場合には、開口部２１の近傍においてボール１の表面を部分的に凹ませ、負圧状態の密閉空間Ｓ内へ大気を流入させれば、簡単にボール１を外すことができる。また、予めボール１の空気を抜けば、より簡単にボール１を取り外すことができる。
【００２２】
台座部材３は、椀状部材２の平面部２３の上面にボルトとナットとにより固定されている。本実施形態の台座部材３は、一定の厚みを有する円板体から成り、椀状部材２の中心軸線と同心に設けられている。
【００２３】
次に、本実施形態のバランス運動具１０の使用手順について説明する。
【００２４】
バランス運動具１０を使用する場合、椀状部材２の開口部２１にボール１を保持させるだけで準備が完了する。そして、台座部材３を上にした状態でボール１を接地させ、台座部材３の上面に腰を下ろし、水平バランスをとりながら台座部材３上に跨るようにすればボール１が揺動支持部となりバランス運動を行うことができる。こうして平衡感覚を養い、或いはリハビリテーション等に利用することができる。この際、適宜に台座部材３の外縁部を手で掴んでも良い。
【００２５】
バランス運動後、椀状部材２の開口部２１からボール１を取り外せば、ボール１だけを使って種々のボール運動を行うことができる。また、開口部２１を下にして椀状部材２を直接、床面等に安定に載置できるので、保管に便利である。
【００２６】
このように本実施形態のバランス運動具１０は、椀状部材２の開口部２１にボール１を着脱自在に保持することができ、このボール１を揺動支持部としてバランス運動を行うことができるので、従来品のように取り替え式の専用の支持部品を準備しておく必要がなく、一般の空気入りボールを用いて手軽にバランス運動を行うことができる。
【００２７】
そして、ボール１の種類等を変更することによって、バランス運動の難易度を適宜に変更することができ、また、ボール１の空気圧を調節することによっても、バランス運動の難易度を変更することができる。この場合、難易度を無段階で調節設定することが可能である。
【００２８】
また、ボール１を椀状部材２の摩擦力と吸引力との相乗効果により開口部２１に確実に固定することができるので、バランス運動中、ボール１が外れてしまうおそれもなく安全に運動を行うことができる。また、意図的に椀状部材２の近傍においてボール１の表面を部分的に凹ませれば、簡単にボール１を取り外すことができるので、ボール１の取り替え作業を手軽に行うことができる。
【００２９】
また、図２に示すように、バランス運動中、使用者の体重、及びボール１の弾力性に応じてボール１の接地部が床面Ｆに沿って変形する。したがって、ボール１と床面Ｆとの摩擦力によって、バランス運動中にボール１が床面Ｆに対し滑ってしまい体勢を崩す危険もない。また、ボール１と床面Ｆとが面接触するので、床面Ｆに多少の凹凸があっても安全にバランス運動を行うことができ、屋内外を問わず、どこでもバランス運動を行うことができる。例えば砂利を敷いた地面上でもバランス運動を楽しむことができる。更にまた、ボール１が弾力性を有し、ボール１と床面Ｆとが面接触するので、床面等を傷つけるおそれもなく、例えば、畳上でもバランス運動を行うことができる。
【００３０】
更にまた、本実施形態のバランス運動具１０にあっては、接地するボール１が弾力性を有しているので、台座部材３上に跨って台座部材３の外縁部を手で掴みながら上下に跳躍運動を行うこともできる。ボール１の弾性反発力を利用して簡単に跳びはねることができ、また、接地時の衝撃をボール１が吸収するので、使用者に衝撃が加わることもなく、スムーズな跳躍運動を楽しむことができる。ボール１の種類、空気圧等を変更することによって、多様な跳躍感を楽しむことができる。
【００３１】
また、跳躍運動時においても、ボール１と床面Ｆとが面接触するので、床面Ｆに多少の凹凸があっても安全に跳躍運動を行うことができ、例えば砂利を敷いた地面上でも跳躍運動を行うことができる。また、ボール１が弾性力を有するので床面等を傷つけるおそれもなく、例えば、畳上でも跳躍運動を行うことができる。また、椀状部材２の摩擦力と吸引力との相乗効果によってボール１が開口部２１に確実に固定されているので、跳躍運動時にボール１が外れてしまうおそれもなく、安全に跳躍運動を楽しむことできる。
【００３２】
以上、本考案に係るボールを用いたバランス運動具について、基本的な実施形態を説明したが、本考案に係るバランス運動具はその他の形態でも実施することができる。
【００３３】
例えば、図３乃至図６に示すバランス運動具２０のように、運動時に手を添える支柱５を台座部材３に設けても良い。他の構成は上述したバランス運動具１０と同様である。
【００３４】
支柱５は、図３及び図４に示すように、台座部材３の上面に対し直角を成して立設された縦棒部５１と、この縦棒部５１の上端に固定され、縦棒部５１に対し直角を成す横棒部５２とから構成されており、全体がＴ字形状に形成されている。また、このバランス運動具２０において、台座部材３は一定の厚みをもつ円板体から構成され、この台座部材３が椀状部材２の中心軸線と同心状態に設けられている。そして、この台座部材３の中心からずれた偏心位置となる台座部材３の縁部に、支柱５がナットによって固定されている。なお、この縦棒部５１の上端に、横棒部５２の代わりに球状体を固定しても良い。また、支柱５を台座部材３に対し傾斜させて設けても良く、また、縦棒部５１が途中で曲がっていても良い。デザイン面、機能面等を考慮して種々の設計変更が可能である。
【００３５】
このバランス運動具２０によれば、支柱５の横棒部５２を手で握った状態で、バランス運動を行うことができ、上述したバランス運動具１０とは異なる操作感を楽しむことができる。また、台座部材３の偏心位置に支柱５を設けているので、図４に示すように、台座部材３上に乗った使用者がほぼ直立姿勢を保ったまま使用者の重心Ｇをボール１の中心線上に一致させることができる。したがって、例えば、重心を合わせるために前屈みになる必要もなく、自然な立ち姿勢で支柱５を握ってバランス運動を行うことができ、また、支柱５によって運動時の使用者の姿勢変化が阻害されることもない。
【００３６】
また、バランス運動具２０によれば、支柱５を握りながら台座部材３上に立って、バランスをとりながら上下に跳躍運動を行うこともできる（図５参照）。ボール１は弾力性を有するので、周知の跳躍棒（ポーゴー、ホッピング）のように、床面Ｆ上で跳躍運動を楽しむことができる。ボール１の弾性反発力を利用して簡単に跳びはねることができ、また、接地時の衝撃をボール１が吸収するので、使用者に衝撃が加わることもない。このようにボール１の弾力性、緩衝性等を利用することによって、使用者の例えば膝関節等に負担をかけることなくスムーズな跳躍運動を楽しむことができる。ボール１の種類、空気圧等を調節することにより多様な跳躍感を楽しむことができる。
【００３７】
また、周知の跳躍棒とは異なり、弾性力を有するボール１が面接触状態で接地するので、床面Ｆに多少の凹凸、段差があっても跳躍運動を行うことができ、例えば砂利を敷いた地面上でも跳躍でき、また、畳上で跳躍を繰り返しても畳を傷つけることもない。
【００３８】
更にまた、ボール１の弾性力を利用して跳躍運動を行うことができるので、跳躍運動時に水平方向へ移動しながら接地したとき、図６に示すように、ボール１が横ずれ弾性変形し、水平方向成分の反発力Ｆが発生する。この反発力Ｆによって周知の跳躍棒とは異なる跳躍感を楽しむことができる。
【００３９】
更にまた、本実施形態のバランス運動具２０を二つ準備すれば、各バランス運動具２０の台座部材３上に片足ずつ載せることによって、竹馬のようにバランスをとりながら歩行運動を行うこともできる。この場合、支柱５の縦棒部５１の上端に、横棒部５２の代わりに球状体を設けるか、何も設けない方が好ましい。
【００４０】
なお、バランス運動具２０は、支柱５を台座部材３にナットにより固定しているので、必要に応じて支柱５を取り外すことができる。必要に応じて、支柱５を取り外せば、上述したバランス運動具１０と同様に、バランス運動や跳躍運動を行うことができる。
【００４１】
また、図７に示すバランス運動具３０のように、台座部材３の下方に二つの椀状部材２を並列状態に設け、各椀状部材２にボール１を着脱自在に保持させても良い。このバランス運動具３０によれば、並列した二つのボール１が接地するので、台座部材３の揺動方向は、ボール１の並列方向に対し直交する方向に規制される。このことで、上述したバランス運動具１０に比較してより簡単にバランス運動を行うことができる。
【００４２】
また、図８に示すバランス運動具４０のように、台座部材３の下方に二つの椀状部材２を並列状態に設け、これら椀状部材２の間において台座部材３を支持部材６により揺動可能に支持するようにしても良い。符号６１は、支持部材６の上部に設けられた軸部を受ける周知の軸受部材である。このバランス運動具４０によれば、長板状の台座部材３の両端に二人が腰を下ろして跨り、交互に跳びはねることによって手軽にシーソー運動を楽しむことが可能となる。上述したように、ボール１の弾性反発力を利用して簡単に跳びはねることができ、また、接地時の衝撃をボール１が吸収するので、緩衝性に優れており、使用者に衝撃が加わることなくスムーズなシーソー運動を楽しむことができる。
【００４３】
本考案はその趣旨を逸脱しない範囲内で、当業者の知識に基づいて種々の改良、修正、変形を加えた態様で実施し得るものである。また、同一の作用又は効果が生じる範囲内でいずれかの考案特定事項を他の技術に置換した形態で実施しても良く、また、一体に構成されている考案特定事項を複数の部材から構成したり、複数の部材から構成されている考案特定事項を一体に構成した形態で実施しても良い。
【図面の簡単な説明】
【００４４】
【図１】本実施形態のボールを用いたバランス運動具の側面図である。
【図２】同バランス運動具の部分断面側面図である。
【図３】本考案に係るバランス運動具の変形例の側面図である。
【図４】同バランス運動具の平面図である。
【図５】同バランス運動具の使用状態を説明する側面図である。
【図６】同バランス運動具の使用状態を説明する側面図である。
【図７】本考案に係るバランス運動具の他の変形例の側面図である。
【図８】本考案に係るバランス運動具の更に他の変形例の側面図である。
【符号の説明】
【００４５】
１０、２０、３０、４０  ボールを用いたバランス運動具
１  ボール
Ｒ１  ボールの外径
２  椀状部材
２１  開口部
Ｒ２  開口部の口径
３  台座部材
５  支柱
６  支持部材
【図１】
0003118491.tif 000003
【図２】
0003118491.tif 000004
【図３】
0003118491.tif 000005
【図４】
0003118491.tif 000006
【図５】
0003118491.tif 000007
【図６】
0003118491.tif 000008
【図７】
0003118491.tif 000009
【図８】
0003118491.tif 000010